(57)【特許請求の範囲】
【請求項１】
複数のオーディオゲートウエイおよび該オーディオゲートウエイとペアリングして使用される複数の無線ヘッドセットを有し、前記ペアリングされた無線ヘッドセットにより前記オーディオゲートウエイを制御するよう構成されたオーディオシステムにおいて、
前記各無線ヘッドセットは、前記オーディオゲートウエイおよび他の無線ヘッドセットとの間で無線通信可能に構成され、現在ペアリング中のオーディオゲートウエイのみならず他の無線ヘッドセットとも無線通信して各種情報を送受信して、前記複数のオーディオゲートウエイおよび無線ヘッドセットを適宜選択してペアリングして使用可能であることを特徴とするオーディオシステム。
【請求項２】
前記各無線ヘッドセットは、自己のデバイスＩＤを含む無線モジュールおよび他の無線モジュールおよび各オーディオゲートウエイの情報を記憶するメモリ部を備えることを特徴とする請求項１に記載のオーディオシステム。
【請求項３】
前記無線ヘッドセットの前記メモリ部には、ボリューム設定値、音楽ソースおよび曲位置の情報を記憶することを特徴とする請求項２に記載のオーディオシステム。
【請求項４】
前記無線ヘッドセットの前記メモリ部は、ＲＡＭを含む書換可能なメモリにより構成されることを特徴とする請求項２又は３に記載のオーディオシステム。
【発明の詳細な説明】
【０００１】
【発明の属する技術分野】
本発明はオーディオシステム、例えば相互に無線送受信可能な本体部であるオーディオゲートウエイおよびヘッドセットにより構成される音響機器であるオーディオシステムに関する。
【０００２】
【従来の技術】
オーディオシステムは、放送局から電波により送信される放送媒体のみならず、ＣＤ（Compact Disc）およびMD(Mini Disc)等のデジタル記録媒体および磁気テープ等のアナログ記録媒体を含む多数のソースを有する。特に、最近の音楽ソースは、ＣＤ／ＭＤが主流になっている。また、斯かる音楽ソースの再生手段であるオーディオゲートウエイも、室内で使用する据置型（又は固定式）のみならず、ユーザが外出時に歩行中又は電車等の乗物で移動中に使用する携帯型（ポータブル）および車両に搭載されている車載型等の複数を所有するのが一般的である。
【０００３】
このように複数のオーディオゲートウエイおよび複数のヘッドセットを所有するユーザは、その活動エリアに応じてオーディオゲートウエイおよびヘッドセットを適宜ペアリング（組み合わせ）して使用する。例えば、同じＣＤで音楽を聴く場合に、室内にいる場合には据置型のオーディオゲートウエイのＣＤ再生部に装着してヘッドセットを使用して聴く。また、外出時には、そのＣＤを携帯型のオーディオゲートウエイのＣＤ再生部に装着して聴くことが可能である。このようにして、ユーザは何処にいても同じＣＤを聴くことができる。
【０００４】
図３（Ａ）〜（Ｃ）は、無線ヘッドセットを使用する従来のオーディオシステムの使用状態を示す。先ず、図３（Ａ）では、無線ヘッドセット１０を据置型のオーディオゲートウエイ２０Ａとペアリングして、室内で例えばＣＤ等の音楽ソースを聴く。次に、外出時には、図３（Ｂ）に示す如く、ＣＤを携帯型のオーディオゲートウエイ２０Ｂに移して、無線ヘッドセット１０にてＣＤの音楽を聴く。更に、外出から室内に戻ると、図３（Ｃ）に示す如く、再度ＣＤを据置型オーディオゲートウエイ２０Ａへ移してこのオーディオゲートウエイ２０Ａと無線ヘッドセット１０によりＣＤを再生して音楽を聴く。
【０００５】
【発明が解決しようとする課題】
しかし、上述した従来の無線ヘッドセットでは、ボリューム（音量）設定情報のみしか記憶されていない。そして、ヘッドセット側にて制御可能なのは、ボリュームおよびＣＤの再生開始、シーク（選曲）および停止のみであるので、オーディオゲートウエイを変更する毎にユーザが選曲操作を行わなければ継続してＣＤを再生して音楽を聴くことができなかった。
【０００６】
【発明の目的】
本発明は、上述した従来のオーディオシステムの課題に鑑みなされたものであり、複数のオーディオゲートウエイとペアリングして使用する場合に、操作性を改善可能なオーディオシステムを提供することを目的とする。また、複数のオーディオゲートウエイと複数の無線ヘッドセットとを適宜ペアリングして操作性よくＣＤ等で音楽を再生し継続して聴くことを可能にするオーディオシステムを提供することを目的とする。
【０００７】
【課題を解決するための手段】
前述の課題を解決するため、本発明によるオーディオシステムは、次の特徴的な構成を採用している。
【０００８】
（１）複数のオーディオゲートウエイおよび該オーディオゲートウエイとペアリングして使用される複数の無線ヘッドセットを有し、前記ペアリングされた無線ヘッドセットにより前記オーディオゲートウエイを制御するよう構成されたオーディオシステムにおいて、
前記各無線ヘッドセットは、前記オーディオゲートウエイおよび他の無線ヘッドセットとの間で無線通信可能に構成され、現在ペアリング中のオーディオゲートウエイのみならず他の無線ヘッドセットとも無線通信して各種情報を送受信して、前記複数のオーディオゲートウエイおよび無線ヘッドセットを適宜選択してペアリングして使用可能であるオーディオシステム。
【０００９】
（２）前記各無線ヘッドセットは、自己のデバイスＩＤを含む無線モジュールおよび他の無線モジュールおよび各オーディオゲートウエイの情報を記憶するメモリ部を備える上記（１）のオーディオシステム。
【００１０】
（３）前記無線ヘッドセットの前記メモリ部には、ボリューム設定値、音楽ソースおよび曲位置の情報を記憶する上記（２）のオーディオシステム。
【００１１】
（４）前記無線ヘッドセットの前記メモリ部は、ＲＡＭを含む書換可能なメモリにより構成される上記（２）又は（３）のオーディオシステム。
【００１３】
【発明の実施の形態】
以下、本発明によるオーディオシステムの好適実施形態の構成および動作を、添付図面を参照して詳細に説明する。
【００１４】
先ず、図１は、本発明のオーディオシステムに使用する無線ヘッドセット１０の構成を示すブロック図である。この無線ヘッドセット１０は、アンテナ（無線送受信手段）アンテナ１１、無線モジュール１２、制御部１３、入力手段１４、メモリ部１５およびスピーカ１６により構成される。無線モジュール１２は、自己のデバイス識別情報であるデバイスＩＤ１２Ａを内蔵している。
【００１５】
無線ヘッドセット１０において、アンテナ１１は、無線モジュール１２に接続されている。制御部１３は、無線モジュール１２およびメモリ部１５間に接続されている。入力手段１４は、制御部１３に接続されている。また、スピーカ１６は、無線モジュール１２に接続され、図１中には１個のみを示すが、ステレオシステムでは、左右１対のスピーカを使用する。
【００１６】
次に、図１に示す無線ヘッドセット１０の動作を説明する。アンテナ１１で受信される電波（又は赤外線）は、無線モジュール１２により復調され、当業者には周知のＵＡＲＴ又はＵＳＢ等によりデータを制御部１３に入力する。また、制御部１３から出力されるデータは、無線モジュール１２により変調してアンテナ１１により電波が送信される。尚、無線として赤外線を使用する場合には、アンテナ１１として赤外線の受光部／発光部を使用する。また、無線モジュール１２として赤外線モジュールを使用する。
【００１７】
入力手段１４は、制御部１３へ信号種類としてオーディオゲートウエイ又は他のヘッドセットへのペアリング実行、ボリューム設定変更、ＣＤ等の再生、トラックサーチ等の指示を伝える。メモリ部１５は、好ましくはＲＡＭ（Random Access Memory）であり、制御部１３の制御下でペアリング相手のデバイス識別情報（ＩＤ）、ボリューム設定情報、曲情報等の各種情報が記憶（書き込み）または読み出しされる。無線モジュール１２が内蔵するデバイスＩＤ１２Ａは、自己デバイスの識別情報となり、ペアリング時に相手デバイス（オーディオゲートウエイ）と交換される。このように、無線ヘッドセット１０は、オーディオゲートウエイトのみならず他のヘッドセットと無線通信可能に構成されていることを最大の特徴とする。
【００１８】
次に、図２（Ａ）〜（Ｃ）は、本発明によるオーディオシステムの動作説明図である。先ず、図２（Ａ）は、ヘッドセット１０Ａと据置型のオーディオゲートウエイ２０Ａとをペアリングした状態を示す。図２（Ｂ）は、ヘッドセット１０Ｂと携帯型のオーディオゲートウエイ２０Ｂをペアリングした状態を示す。また、図２（Ｃ）は、ヘッドセット１０Ｃと例えば車載用オーディオゲートウエイ２０Ｃとをペアリングした状態を示す。
【００１９】
図２（Ａ）〜（Ｃ）において、ヘッドセット１０Ａ〜１０Ｃは、それぞれユーザによる入力手段１４の手動操作又はある一定距離内にオーディオゲートウエイが存在することを検知手段（図示せず）で検知して自動的に対応するオーディオゲートウエイ２０Ａ〜２０Ｃとペアリングする。このとき、ヘッドセット１０Ａ〜１０Ｃと、それぞれのオーディオゲートウエイ２０Ａ〜２０Ｃは、一義の値（ＢＤアドレス等）により区別できている。それにより、ヘッドセット１０Ａ〜１０Ｃは、オーディオゲートウエイ毎にボリューム設定値以外にも、音楽ソースＩＤ、曲の位置情報をメモリ部１５に記憶しておくことが可能である。
【００２０】
上述の状態で、ヘッドセット１０Ａ〜１０Ｃのヘッドセット同士でシンクロナイゼーションにより、各オーディオゲートウエイの情報をやり取りして、最新の状態情報を交換しコピーする。このとき、オーディオゲートウエイ２０をデバイスのＩＤ情報により区別できる。そのため、ヘッドセット１０Ａ〜１０Ｃは、いずれもオーディオゲートウエイ２０Ａ〜２０Ｃの情報を保存していることになる。
【００２１】
従って、ヘッドセット１０Ａ〜１０Ｃのうち、どのヘッドセットでオーディオゲートウエイ２０Ａ〜２０Ｃのうち、どのオーディオゲートウエイ２０Ａ〜２０Ｃとペアリングを繰り返したときでも、再度ペアリングしたオーディオゲートウエイと、以前の状態を復元可能である。そして、ボリューム設定値、演奏している曲目、曲途中の位置まで再現可能である。
【００２２】
具体例として、無線式（Bluetooth対応等）ヘッドセットは、オーディオゲートウエイに近付くと、自動的にペアリングする。従って、固定式のコンポで聴いていたＣＤと同じ曲を、そのまま別のヘッドセットを使用するポータブルＭＤプレーヤで続きを聞きながら外出することが可能になる。
【００２３】
以上、本発明によるオーディオシステムの好適実施形態の構成および動作を詳述した。しかし、斯かる実施形態は、本発明の単なる例示に過ぎず、何ら本発明を限定するものではない。本発明の要旨を逸脱することなく、特定用途に応じて種々の変形変更が可能であること、当業者には容易に理解できよう。特に、本発明は、オーディオに限定することなく映像についても適用できることは明らかである。
【００２４】
【発明の効果】
以上の説明から理解される如く、本発明のオーディオシステムによると、次の如き実用上の顕著な効果を有する。無線式（Bluetooth対応）ヘッドセットを、オーディオゲートウエイに近付けると、自動的にペアリングして、音楽を聴いたりすることから、固定式のコンポで聴いていたＣＤを、そのままポータブルＭＤプレーヤで続きを聞きながら外出することが可能になる。更に、オーディオゲートウエイ毎にボリュームの設定値以外にメモリ部に記憶されている音楽ソースＩＤ、曲位置情報等をシンクロナイゼーションにより他のヘッドセットと共有可能にする。その結果、以前の続きから音楽ソース（曲）を聴くことができ、室内用、社内用、携帯電話用、外出用のヘッドセットを別々に使用したり、任意の組み合わせ（ペアリング）で使用しても同じ環境で音楽を聴くことが可能である。また、携帯電話では、ハンズフリーで通話を行うことが可能である。
【図面の簡単な説明】
【図１】本発明のオーディオシステムに使用されるヘッドセットの好適実施形態の構成を示すブロック図である。
【図２】図１に示すヘッドセットを使用するオーディオシステムの動作を説明する図である。
【図３】従来のオーディオシステムの説明図である。
【符号の説明】
１０Ａ〜１０Ｃ  ヘッドセット
１１  アンテナ（無線通信手段）
１２  無線モジュール
１２Ａ  自己デバイスＩＤ
１３  制御部
１４  入力手段
１５  メモリ部
１６  スピーカ
２０Ａ〜２０Ｃ  オーディオゲートウエイ
【図１】
0003881909.tif 000002
【図２】
0003881909.tif 000003
【図３】
0003881909.tif 000004